(57)【要約】【課題】受電車両と送電車両とのマッチングを容易にする。【解決手段】管理サーバ１００は、受電車両の充電要求量を含む受電車両情報と、送電車両の充電残量情報を含む送電車両情報と、を取得する情報取得部１０５ａと、送電車両情報と受電車両情報とに基づいて、送電車両を特定する特定部１０５ｂと、特定した送電車両が受電車両に送電した電気エネルギーに相当するエネルギー対価値を演算する演算部１０５ｃと、を備える。したがって、送電ユーザは、送電車両から受電車両に送電した電気エネルギーに対応する正当な対価を受けることが可能になる。その結果、管理サーバ１００は、受電車両と送電車両とのマッチングを容易にすることができる。【選択図】図６
2020170419.tif 000002
【特許請求の範囲】
【請求項１】
受電車両の充電要求量情報を含む受電車両情報と、送電車両の充電残量情報を含む送電車両情報と、を取得する情報取得部と、
前記送電車両情報と前記受電車両情報とに基づいて、前記送電車両を特定する特定部と、
を備える管理サーバ。
【請求項２】
前記特定部は、前記受電車両情報および前記送電車両情報に基づいて、前記送電車両が前記受電車両の充電要求量に相当する電気エネルギーを保有しているか否か判定することで前記送電車両を特定する請求項１に記載の管理サーバ。
【請求項３】
前記特定部は、
前記受電車両情報を、前記送電車両情報を送信可能な送電側端末に送信し、
前記送電車両情報を、前記受電車両情報を送信可能な受電側端末に送信する請求項１または２に記載の管理サーバ。
【請求項４】
特定した前記送電車両が前記受電車両に送電した場合に、前記送電車両が送電した電気エネルギーに相当するエネルギー対価値を演算する演算部をさらに備える請求項１〜３のいずれか１項に記載の管理サーバ。
【請求項５】
前記演算部は、受電ユーザが保有するエネルギー対価値から、演算した前記エネルギー対価値を減算する請求項４に記載の管理サーバ。
【請求項６】
前記演算部は、送電ユーザが保有するエネルギー対価値に対し、演算した前記エネルギー対価値を加算する請求項４または５に記載の管理サーバ。
【請求項７】
前記演算部は、演算した前記エネルギー対価値に対し、付加値を加算する請求項４〜６のいずれか１項に記載の管理サーバ。
【請求項８】
前記付加値は、前記受電車両情報を送信可能な受電側端末で設定された値である請求項７に記載の管理サーバ。
【請求項９】
前記特定部は、前記受電側端末から受信した前記付加値に関する情報を、前記送電車両情報を送信可能な送電側端末に送信し、前記付加値に関する情報に対し合意のあった前記送電車両と前記受電車両とをマッチングする請求項８に記載の管理サーバ。
【請求項１０】
前記付加値は、前記送電車両情報を送信可能な送電側端末で設定された値である請求項７に記載の管理サーバ。
【請求項１１】
前記特定部は、前記送電側端末から受信した前記付加値に関する情報を、前記受電車両情報を送信可能な受電側端末に送信し、前記付加値に関する情報に対し合意のあった前記送電車両と前記受電車両とをマッチングする請求項１０に記載の管理サーバ。
【請求項１２】
前記付加値は、前記受電車両の位置に応じて前記演算部により設定される値である請求項７〜１１のいずれか１項に記載の管理サーバ。
【請求項１３】
前記演算部は、前記受電車両の位置と、充電ステーションの位置とを比較し、前記受電車両の位置と前記充電ステーションの位置との間隔が大きくなるほど、前記付加値を大きい値に設定する請求項１２に記載の管理サーバ。
【請求項１４】
前記付加値は、前記特定部により特定される前記送電車両の候補数に応じて前記演算部により設定される値である請求項７〜１３のいずれか１項に記載の管理サーバ。
【請求項１５】
前記演算部は、前記候補数が少ないほど、前記付加値を大きい値に設定する請求項１４に記載の管理サーバ。
【請求項１６】
前記受電車両と前記送電車両との間で行われた電力の授受の履歴を記憶する記憶部と、
前記記憶部に記憶された前記履歴に基づいて、前記電力の授受が不正であるか否か判定する不正判定部と、
をさらに備え、
前記演算部は、前記不正判定部が前記電力の授受が不正であると判定した場合、前記エネルギー対価値に対し、前記付加値を加算しない処理を行う請求項７〜１５のいずれか１項に記載の管理サーバ。
【請求項１７】
充電要求量を含む受電車両情報、及び送電車両とのマッチング要求を管理サーバに送信する送信部と、
マッチング候補として抽出された前記送電車両の送電車両情報を前記管理サーバから受信する受信部と、
を備える受電側端末。
【請求項１８】
充電残量情報を含む送電車両情報を管理サーバに送信する送信部と、
マッチング候補として抽出された受電車両の充電要求量情報を前記管理サーバから受信する受信部と、
を備え、
前記送信部は、ユーザ操作に応じて前記受電車両とのマッチングを承認する承認信号を前記管理サーバに送信する、
送電側端末。
【請求項１９】
受電側端末と送電側端末と管理サーバを含み、
前記受電側端末は、充電要求量情報を前記管理サーバに送信し、
前記送電側端末は、バッテリ残量情報を前記管理サーバに送信し、
前記管理サーバは、
前記充電要求量情報及び前記バッテリ残量情報に基づいて、前記送電側端末を特定し、
特定した前記送電側端末の前記バッテリ残量情報を含む情報を前記受電側端末に送信し、
前記受電側端末の前記充電要求量情報を前記特定した前記送電側端末に送信する、
充電システム。
【発明の詳細な説明】
【技術分野】
【０００１】
本発明は、管理サーバ、受電側端末、送電側端末、及び充電システムに関する。
【背景技術】
【０００２】
特許文献１には、給電を要する受電車両と、受電車両に対し送電可能な送電車両とをマッチングさせる充電システムについて開示がある。
【先行技術文献】
【特許文献】
【０００３】
【特許文献１】特開２０１３−１３０９６３号公報
【発明の概要】
【発明が解決しようとする課題】
【０００４】
しかし、送電車両の所有者であるユーザは、受電車両に送電した電気エネルギーに相当する正当な対価を受けることが難しい。したがって、受電車両と送電車両とのマッチングが困難になるという課題がある。
【０００５】
本発明は、受電車両と送電車両とのマッチングを容易にすることが可能な管理サーバ、受電側端末、送電側端末、及び充電システムを提供することを目的とする。
【課題を解決するための手段】
【０００６】
上記課題を解決するために、本発明の一側面としての管理サーバは、受電車両の充電要求量情報を含む受電車両情報と、送電車両の充電残量情報を含む送電車両情報と、を取得する情報取得部と、送電車両情報と受電車両情報とに基づいて、送電車両を特定する特定部と、を備える。
【０００７】
特定部は、受電車両情報および送電車両情報に基づいて、送電車両が受電車両の充電要求量に相当する電気エネルギーを保有しているか否か判定することで送電車両を特定してもよい。
【０００８】
特定部は、受電車両情報を、送電車両情報を送信可能な送電側端末に送信し、送電車両情報を、受電車両情報を送信可能な受電側端末に送信してもよい。
【０００９】
特定した送電車両が受電車両に送電した場合に、送電車両が送電した電気エネルギーに相当するエネルギー対価値を演算する演算部をさらに備えてもよい。
【００１０】
演算部は、受電ユーザが保有するエネルギー対価値から、演算したエネルギー対価値を減算してもよい。
【００１１】
演算部は、送電ユーザが保有するエネルギー対価値に対し、演算したエネルギー対価値を加算してもよい。
【００１２】
演算部は、演算したエネルギー対価値に対し、付加値を加算してもよい。
【００１３】
付加値は、受電車両情報を送信可能な受電側端末で設定された値であってもよい。
【００１４】
特定部は、受電側端末から受信した付加値に関する情報を、送電車両情報を送信可能な送電側端末に送信し、付加値に関する情報に対し合意のあった送電車両と受電車両とをマッチングしてもよい。
【００１５】
付加値は、送電車両情報を送信可能な送電側端末で設定された値であってもよい。
【００１６】
特定部は、送電側端末から受信した付加値に関する情報を、受電車両情報を送信可能な受電側端末に送信し、付加値に関する情報に対し合意のあった送電車両と受電車両とをマッチングしてもよい。
【００１７】
付加値は、受電車両の位置に応じて演算部により設定される値であってもよい。
【００１８】
演算部は、受電車両の位置と、充電ステーションの位置とを比較し、受電車両の位置と充電ステーションの位置との間隔が大きくなるほど、付加値を大きい値に設定してもよい。
【００１９】
付加値は、特定部により特定される送電車両の候補数に応じて演算部により設定される値であってもよい。
【００２０】
演算部は、候補数が少ないほど、付加値を大きい値に設定してもよい。
【００２１】
受電車両と送電車両との間で行われた電力の授受の履歴を記憶する記憶部と、記憶部に記憶された履歴に基づいて、電力の授受が不正であるか否か判定する不正判定部と、をさらに備え、演算部は、不正判定部が電力の授受が不正であると判定した場合、エネルギー対価値に対し、付加値を加算しない処理を行ってもよい。
【００２２】
上記課題を解決するために、本発明の他の側面としての受電側端末は、充電要求量を含む受電車両情報、及び送電車両とのマッチング要求を管理サーバに送信する送信部と、マッチング候補として抽出された送電車両の送電車両情報を管理サーバから受信する受信部と、を備える。
【００２３】
上記課題を解決するために、本発明の他の側面としての送電側端末は、充電残量情報を含む送電車両情報を管理サーバに送信する送信部と、マッチング候補として抽出された受電車両の充電要求量情報を管理サーバから受信する受信部と、を備え、送信部は、ユーザ操作に応じて受電車両とのマッチングを承認する承認信号を管理サーバに送信する。
【００２４】
上記課題を解決するために、本発明の他の側面としての充電システムは、受電側端末と送電側端末と管理サーバを含み、受電側端末は、充電要求量情報を管理サーバに送信し、送電側端末は、バッテリ残量情報を管理サーバに送信し、管理サーバは、充電要求量及びバッテリ残量情報に基づいて、送電側端末を特定し、特定した送電側端末のバッテリ残量情報を含む情報を受電側端末に送信し、受電側端末の充電要求量情報を特定した送電側端末に送信する。
【発明の効果】
【００２５】
本発明によれば、受電車両と送電車両とのマッチングを容易にすることができる。
【図面の簡単な説明】
【００２６】
【図１】図１は、充電システムの概略的な構成を示した説明図である。
【図２】図２は、情報端末を備える受電車両を説明する図である。
【図３】図３は、受電車両の制御系のブロック図である。
【図４】図４は、端末記憶装置の構成を説明する図である。
【図５】図５は、希望情報の入力インタフェースの一例を示す図である。
【図６】図６は、管理サーバのブロック図である。
【図７】図７は、本実施形態の充電システムにおける処理の流れを説明するための図である。
【図８】図８は、抽出処理の流れを説明するフローチャート図である。
【図９】図９は、受電車両と送電車両のマッチング候補を抽出する様子を示した図である。
【図１０】図１０は、端末表示部にマッチング候補となる車両（受電車両、送電車両）が表示された状態を示す図である。
【図１１】図１１は、算出処理の流れを説明するフローチャート図である。
【発明を実施するための形態】
【００２７】
以下に添付図面を参照しながら、本発明の実施形態について詳細に説明する。かかる実施形態に示す寸法、材料、その他具体的な数値等は、発明の理解を容易にするための例示に過ぎず、特に断る場合を除き、本発明を限定するものではない。なお、本明細書および図面において、実質的に同一の機能、構成を有する要素については、同一の符号を付することにより重複説明を省略し、また本発明に直接関係のない要素は図示を省略する。
【００２８】
図１は、充電システムＳの概略的な構成を示した説明図である。充電システムＳは、情報端末１を有する車両１０と、通信基地局３０ａを有する通信網３０と、管理サーバ１００とを含んで構成される。
【００２９】
本実施形態では、車両１０は、エンジン、および、走行モータを動力源として走行するハイブリッド自動車で構成される。ただし、車両１０は、モータのみで走行する電気自動車であってもよい。
【００３０】
また、本実施形態では、車両１０は、所定の電気エネルギー（給電）を要する場合、受電車両として構成される。また、車両１０は、所定の電気エネルギー（余剰電力）を供給可能（送電可能）とする場合、送電車両として構成される。送電車両は、例えば、不図示の送電ケーブルを介して受電車両と電気的に接続することで、受電車両に対し電気エネルギーを供給することができる。ただし、これに限定されず、送電車両は、受電車両と非接触に電気的に接続することで、受電車両に対し電気エネルギーを供給してもよい。
【００３１】
情報端末１は、通信基地局３０ａおよび通信網３０を介して管理サーバ１００との通信を確立することができ、専用の画像を表示可能な電子機器を広く含む。情報端末１としては、例えば、スマートフォン、携帯電話、パーソナルコンピュータ、専用端末、さらには、ナビゲーションシステムを有する車両情報端末等が挙げられる。本実施形態では、情報端末１として、ナビゲーションシステムを有する車両情報端末が用いられる場合について説明する。
【００３２】
通信基地局３０ａは、通信網３０と接続され、情報端末１と無線により情報の送受信を行う。また、通信基地局３０ａは、情報端末１から無線により送信された情報を、通信網３０を介して管理サーバ１００に送信する。また、通信基地局３０ａは、管理サーバ１００で生成された情報を情報端末１に送信する。通信網３０は、携帯電話網、インターネット、ＬＡＮ（Local Area Network）、専用回線等で構成され、通信基地局３０ａを介して情報端末１と管理サーバ１００との通信を接続する。
【００３３】
管理サーバ１００は、情報端末１から入力された情報を蓄積する。また、詳しくは後述するが、管理サーバ１００は、蓄積された情報から、車両１０同士（本実施形態では、受電車両と送電車両）のマッチングを行う。
【００３４】
図２は、情報端末１を備える車両１０を説明する図である。図３は、車両１０の制御系のブロック図である。
【００３５】
車両１０は、情報端末１、バッテリ２０１、走行モータ２０３、受電部２０５、送電部２０７、撮像装置２０９、ＧＰＳ（Global Positioning System）受信機２１１、車両制御部２１３を備える。
【００３６】
バッテリ２０１は、外部から供給される電気エネルギーを蓄える。走行モータ２０３は、バッテリ２０１に蓄えられた電気エネルギーにより駆動する。受電部２０５は、車両１０の前方側に設けられ、外部から送電される電気エネルギーをバッテリ２０１に充電する。送電部２０７は、車両１０の後方側に設けられ、バッテリ２０１に蓄えられている電気エネルギーを外部に送電する。なお、受電部２０５および送電部２０７は、それぞれ車両１０の前方側および後方側の双方に設けられてもよい。また、送電部２０７が車両１０の前方側に、受電部２０５が車両１０の後方側に設けられてもよい。
【００３７】
撮像装置２０９は、車両１０に複数設けられ、車両１０の前方、後方、左方、右方をそれぞれ撮像する。ＧＰＳ受信機２１１は、車両１０の位置情報を衛星から受信する。車両制御部２１３は、車両１０全体を統括制御する。
【００３８】
情報端末１は、例えば、車両１０の車室に設けられる。図３に示すように、情報端末１は、端末表示部３０１、端末操作部３０３、端末通信部（受信部、送信部）３０５、端末バッファ３０７、端末記憶装置３０９、端末制御部３１１を備える。
【００３９】
端末表示部３０１は、液晶ディスプレイで構成され、端末制御部３１１の制御によってさまざまな画像が表示される。
【００４０】
端末操作部３０３は、情報端末１の操作を受け付けるものであり、ボタンや端末表示部３０１に設けられるタッチパネル、あるいはこれらの組み合わせで構成される。ここでは、端末操作部３０３がタッチパネルで構成される場合について説明する。ただし、端末操作部３０３は、ユーザの操作を受け付けることができれば、その構成は特に限定されるものではない。
【００４１】
端末通信部３０５は、通信基地局３０ａへの情報の出力、および、通信基地局３０ａからの情報の入力に係る処理を行う。端末通信部３０５は、情報端末１から外部に情報を送信する際に送信部として機能し、外部から情報端末１に情報を受信する際に受信部として機能する。
【００４２】
端末バッファ３０７は、端末制御部３１１が処理を行う際に、種々の情報を一時的に保持するための記憶領域として機能する。
【００４３】
端末記憶装置３０９は、車両１０（受電車両または送電車両）に関する車両情報を記憶する。端末記憶装置３０９の詳細は、図４を用いて後述する。
【００４４】
端末制御部３１１は、情報端末１の全体を制御し、例えば、周知のナビゲーションを行う。端末制御部３１１は、現在位置取得部３１１ａ、道路交通情報取得部３１１ｂ、ルート検索部３１１ｃ、表示制御部３１１ｄ、マッチング制御部３１１ｅ、残燃料取得部３１１ｆ、バッテリ残量取得部３１１ｇ、送受電制御部３１１ｈとして機能する。
【００４５】
現在位置取得部３１１ａは、ＧＰＳ受信機２１１が受信した信号を解析し、現在位置を特定する。
【００４６】
道路交通情報取得部３１１ｂは、不図示の受信機から受信した道路交通情報を解析し、主に現在位置周辺の渋滞情報を特定する。
【００４７】
ルート検索部３１１ｃは、ナビゲーションシステムとしての役割を担い、現在位置情報や道路交通情報に基づいて、現在位置から目的地までのルートを探索する。
【００４８】
表示制御部３１１ｄは、端末表示部３０１における画像の表示制御を行う。
【００４９】
マッチング制御部３１１ｅは、管理サーバ１００に対するマッチングの要求処理を行う。
【００５０】
残燃料取得部３１１ｆは、ガソリン、軽油等の燃料の残量を取得する。
【００５１】
バッテリ残量取得部３１１ｇは、バッテリ２０１のバッテリ残量を取得する。
【００５２】
送受電制御部３１１ｈは、電気エネルギー（電力）の授受の制御を行う。詳しくは後述するように、送受電制御部３１１ｈは、管理サーバ１００が特定した車両１０同士（送電車両および受電車両）の間の送受電の制御を行う。具体的には、後述するように、自車両が送電車両として設定される場合、送電部２０７を制御し、受電車両に対して電力の送電を行う。また、自車両が受電車両として設定される場合、受電部２０５を制御して、送電車両から電力の受電を行う。
【００５３】
図４は、端末記憶装置３０９の構成を説明する図である。図４（ａ）は、車両１０が受電車両に設定される場合の情報端末（以下、受電側端末ともいう）１の端末記憶装置３０９の構成を示す。図４（ｂ）は、車両１０が送電車両に設定される場合の情報端末（以下、送電側端末ともいう）１の端末記憶装置３０９の構成を示す。端末記憶装置３０９は、自車両情報記憶部３０９ａ、ユーザ固有情報記憶部３０９ｂおよび希望情報記憶部３０９ｃを含んで構成される。
【００５４】
図４（ａ）および図４（ｂ）に示すように、自車両情報記憶部３０９ａには、情報端末１が搭載される車両１０の自車両情報が記憶される。ここでは、自車両情報として、車高、全長、全幅、車種タイプ、メーカー、現在位置情報（車両位置情報）、バッテリ残量情報が図示のように記憶される。なお、自車両情報記憶部３０９ａは、ＲＡＭ（Random Access Memory）で構成されている。
【００５５】
図４（ａ）および図４（ｂ）に示すように、ユーザ固有情報記憶部３０９ｂには、ユーザの固有情報としてポイント保有値が記憶される。ここで、ポイント保有値は、例えば、ユーザが充電ステーション等で自車両に電気エネルギーを給電した際に付与されるポイントの合計値である。ポイントは、自車両に給電した給電量に応じて付与され、例えば、給電量に所定の係数を乗算した値がポイント値として付与される。なお、ユーザ固有情報記憶部３０９ｂは、ＲＡＭで構成されており、ポイント保有値の変動に応じて随時変更可能となっている。
【００５６】
図４（ａ）および図４（ｂ）に示すように、希望情報記憶部３０９ｃには、ユーザの希望情報が記憶される。希望情報は、受電車両と送電車両との間でマッチングを行う際の希望条件である。希望情報記憶部３０９ｃには、車両１０のユーザが送電する際の希望と、受電する際の希望を入力することができ、自車両を送電車両あるいは受電車両に選択的に設定することができる。
【００５７】
図４（ａ）に示すように、ユーザが自車両を受電車両として設定した場合、希望情報記憶部３０９ｃには、受電車両の所有者であるユーザ（以下、受電ユーザともいう）の希望情報として、「充電要求量」、「ポイント譲渡値」、「待機許容時間」が記憶される。後述するように、「充電要求量」、「ポイント譲渡値」、「待機許容時間」は、端末操作部３０３（端末表示部３０１）を介して受電ユーザにより設定される。
【００５８】
「充電要求量」は、受電車両（受電ユーザ）が必要とする電力の要求量である。「ポイント譲渡値」は、受電車両が送電車両から給電を受けた場合に、送電車両の所有者であるユーザ（以下、送電ユーザともいう）に対して受電ユーザがポイント保有値から譲渡するポイント値である。詳しくは後述するように、受電ユーザは、受電車両が送電車両から給電を受けた場合、受けた電気エネルギー（電力）に相当するエネルギー対価値（ポイント値）を送電ユーザに譲渡する。ここで、「ポイント譲渡値」は、エネルギー対価値とは別に、送電ユーザに対し譲渡するポイント値である。
【００５９】
図４（ａ）では、「ポイント譲渡値」は、「１００」ポイントに設定されているが、このポイントは、必ずしも送電ユーザに譲渡しなければならないものではなく、例えば「０」ポイントに設定されていてもよい。以下、「ポイント譲渡値」を、エネルギー対価値に付加する「付加値」ともいう。「待機許容時間」は、受電車両の給電までに受電ユーザが待機可能な待機時間である。なお、希望情報記憶部３０９ｃは、ＲＡＭで構成されており、ユーザが自由に希望情報を変更可能となっている。
【００６０】
一方、図４（ｂ）に示すように、ユーザが自車両を送電車両として設定した場合、希望情報記憶部３０９ｃには、送電ユーザの希望情報として、「給電可能量」、「ポイント要求値」、「出発可能時間」が記憶される。後述するように、「給電可能量」、「ポイント要求値」、「出発可能時間」は、端末操作部３０３（端末表示部３０１）を介して送電ユーザにより設定される。
【００６１】
「送電可能量」は、送電車両（送電ユーザ）が受電車両に対し送電可能な電力量（余剰電力量）である。「ポイント要求値」は、送電車両が受電車両に対し送電した場合に、送電ユーザが受電ユーザに要求するポイントの要求値である。詳しくは後述するように、送電ユーザは、送電車両が受電車両に対し送電した場合、送電した電気エネルギー（電力）に相当するエネルギー対価値（ポイント値）を受電ユーザから受け取る。ここで、「ポイント要求値」は、エネルギー対価値とは別に、受電ユーザから受け取るポイント値である。なお、詳しくは後述するように、送電ユーザは、「ポイント譲渡値」および「ポイント要求値」のうちいずれか一方（例えば、値が大きい方）のポイント値を受電ユーザから受け取ることができる。
【００６２】
図４（ｂ）では、「ポイント要求値」は、「５０」ポイントに設定されているが、このポイントは、必ずしも受電ユーザから受け取らなければならないものではなく、例えば「０」ポイントに設定されていてもよい。以下、「ポイント要求値」を、エネルギー対価値に付加する「付加値」ともいう。「出発可能時間」は、送電ユーザが送電車両を発進させるまでにかかる時間である。なお、希望情報記憶部３０９ｃは、ＲＡＭで構成されており、ユーザが自由に希望情報を変更可能となっている。
【００６３】
自車両情報記憶部３０９ａに記憶される自車両情報、ユーザ固有情報記憶部３０９ｂに記憶されるユーザの固有情報、希望情報記憶部３０９ｃに記憶される希望情報は、いずれかの値が変更した際、あるいは、一定時間ごとに、車両１０に関する車両情報（受電車両情報、送電車両情報）として管理サーバ１００に出力される。
【００６４】
図５は、希望情報の入力インタフェースの一例を示す図である。ここでは、車両１０が受電車両に設定される場合に、受電ユーザが入力する希望情報を例に説明する。例えば、車両１０の走行中、受電側端末の端末表示部３０１には、地図情報が表示される。端末表示部３０１はタッチパネルで構成されており、端末操作部３０３としても機能する。端末操作部３０３に対して所定の操作が行われると、図５（ａ）に示すように、端末表示部３０１の下部にメニューバー３０１ａが表示される。ここでは、メニューバー３０１ａに４つのタブが表示されており、各タブに、「現在位置」、「目的地設定」、「希望情報入力」、「マッチング要求」のテキストが表示されている。
【００６５】
ユーザがメニューバー３０１ａの「希望情報入力」と記されたタブを操作すると、図５（ｂ）に示すように、選択情報一覧インタフェース３０１ｂが表示される。選択情報一覧インタフェース３０１ｂは、図示のように、６つのタイトルタブ３０１ｃと、各タイトルタブ３０１ｃの右側に表示される６つの仮登録表示欄３０１ｄとを含む。選択情報一覧インタフェース３０１ｂの表示中は、端末表示部３０１に登録ボタン３０１ｅおよび戻るボタン３０１ｆが表示される。
【００６６】
ユーザがタイトルタブ３０１ｃまたは仮登録表示欄３０１ｄを操作すると、各タイトルタブ３０１ｃの「充電要求量」、「ポイント譲渡値」、「待機許容時間」、「給電可能量」、「ポイント要求値」、「出発可能時間」の値を設定（入力）することができる。
【００６７】
例えば、「充電要求量」と記されたタイトルタブ３０１ｃが操作された場合には、図５（ｂ）に示す「＊＊＊ｋＷｈ」における「＊＊＊」の値を、任意の値（例えば、「３０」などの値）に設定（入力）することができる。
【００６８】
仮登録表示欄３０１ｄに設定した値（設定情報）は、端末バッファ３０７に仮登録される。そして、ユーザにより登録ボタン３０１ｅが操作されると、端末バッファ３０７に仮登録されている設定情報は、端末記憶装置３０９に記憶（本登録）される。また、ユーザにより戻るボタン３０１ｆが操作されると、図５（ａ）に示す画像（地図情報およびメニューバー３０１ａ）が表示される。
【００６９】
ユーザがメニューバー３０１ａの「マッチング要求」と記されたタブを操作すると、情報端末１（端末通信部３０５）は、マッチング要求信号を出力し、端末記憶装置３０９に記憶された車両情報（受電車両情報あるいは送電車両情報）を管理サーバ１００に出力する。
【００７０】
図６は、管理サーバ１００のブロック図である。管理サーバ１００は、サーバ通信部１０１、サーバ記憶装置１０３、サーバ制御部１０５を備える。
【００７１】
サーバ通信部１０１は、通信網３０への情報の出力、および、通信網３０からの情報の入力に係る処理を行う。具体的には、サーバ通信部１０１は、情報端末１から出力される受電車両情報および送電車両情報を受信する。また、サーバ通信部１０１は、後述するマッチング信号を情報端末１に出力する。
【００７２】
サーバ記憶装置１０３は、サーバ通信部１０１が受信した情報を記憶する。例えば、サーバ記憶装置１０３は、情報端末１から出力された受電車両情報および送電車両情報を記憶する。
【００７３】
サーバ制御部１０５は、情報端末１の端末制御部３１１と協働して、受電車両と送電車両のマッチング、および、受電車両情報と送電車両情報の管理を行う。サーバ制御部１０５は、情報取得部１０５ａ、特定部１０５ｂ、演算部１０５ｃとして機能する。
【００７４】
情報取得部１０５ａは、受電側端末から送信された受電車両に関する受電車両情報と、送電側端末から送信された送電車両に関する送電車両情報とを取得する。また、情報取得部１０５ａは、取得した受電車両情報および送電車両情報をサーバ記憶装置１０３に記憶させる。
【００７５】
特定部１０５ｂは、受電車両情報と送電車両情報とに基づいて、受電車両とマッチング可能（例えば、受電ユーザが設定した充電要求量を送電可能）な送電車両を特定する。
【００７６】
演算部１０５ｃは、詳しくは後述するように、送電車両から受電車両に送電した電気エネルギーに相当するエネルギー対価値（ポイント値）を演算する。
【００７７】
以下、充電システムＳにおける具体的な処理の流れについて説明する。図７は、本実施形態の充電システムＳにおける処理の流れを説明するための図である。
【００７８】
情報端末（受電側端末）１は、受電ユーザにより希望情報等の選択情報が入力されると、入力された選択情報を含む受電車両情報信号を生成し、生成した受電車両情報信号を管理サーバ１００に送信する（ステップＳ１０１）。
【００７９】
情報端末（送電側端末）１は、送電ユーザにより希望情報等の選択情報が入力されると、入力された選択情報を含む送電車両情報信号を生成し、生成した送電車両情報信号を管理サーバ１００に送信する（ステップＳ１０３）。
【００８０】
情報端末（受電側端末）１は、受電ユーザにより「マッチング要求」と記されたタブ（図５（ａ）参照）が操作されると、マッチング要求信号を生成し、生成したマッチング要求信号を管理サーバ１００に送信する（ステップＳ１０５）。
【００８１】
特定部１０５ｂは、受電側端末からマッチング要求信号が入力されると、サーバ記憶装置１０３に記憶された受電車両情報および送電車両情報に基づいて、受電車両（受電側端末）と送電車両（送電側端末）のマッチング候補を抽出（特定）する抽出処理を実行する（ステップＳ１０７）。
【００８２】
図８は、抽出処理の流れを説明するフローチャート図である。図８に示すように、まず、特定部１０５ｂは、受電車両と、受電車両の周辺に位置する送電車両との間の距離を算出する（ステップＳ２０１）。つぎに、特定部１０５ｂは、受電車両の周辺に位置する送電車両のバッテリ残量が、受電車両の充電要求量を満たしているか否かの判定を行う（ステップＳ２０３）。そして、特定部１０５ｂは、ステップＳ２０１の算出結果、および、ステップＳ２０３の判定結果に基づいて、受電車両と送電車両のマッチング候補を抽出する（ステップＳ２０５）。
【００８３】
図９は、受電車両と送電車両のマッチング候補を抽出する様子を示した図である。図９（ａ）では、特定部１０５ｂが各車両１０（受電車両および送電車両）の距離に基づいてマッチング候補を抽出する様子を示し、図９（ｂ）では、特定部１０５ｂが受電車両情報に含まれる充電要求量情報と送電車両情報に含まれるバッテリ残量情報に基づいてマッチング候補を抽出する様子を示している。
【００８４】
図９（ａ）に示すように、特定部１０５ｂは、受電車両を中心とした所定距離（範囲）Ｌ内に位置する送電車両をマッチング候補として抽出する。図９（ａ）中、マッチング候補として抽出された車両（送電車両）１０を黒丸で示し、マッチング候補として抽出されなかった車両（送電車両）１０を白丸で示す。
【００８５】
所定距離Ｌ内に位置する送電車両が抽出されると、特定部１０５ｂは、所定距離Ｌ内に位置する送電車両の送電車両情報からバッテリ残量情報あるいは給電可能量情報を抽出し、受電車両の受電車両情報から充電要求量情報を抽出する。
【００８６】
特定部１０５ｂは、抽出した充電要求量情報とバッテリ残量情報（あるいは、給電可能量情報）とを比較し、送電車両が受電ユーザにより設定された充電要求量に相当する電気エネルギーを保有しているか否か判定する。図９（ｂ）に示すように、特定部１０５ｂは、充電要求量に相当する電気エネルギーを保有していると判定した送電車両をマッチング候補として抽出する。図９（ｂ）中、マッチング候補として抽出された車両（送電車両）１０を黒丸で示し、マッチング候補として抽出されなかった車両（送電車両）１０を白丸で示す。
【００８７】
図７に戻り、特定部１０５ｂは、マッチング候補として抽出した送電車両の情報端末１（送電側端末）に対し、受電車両の受電車両情報を含む通知信号を送信する。また、特定部１０５ｂは、受電車両の情報端末１（受電側端末）に対し、マッチング候補として抽出した送電車両の送電車両情報を含む通知信号を送信する。
【００８８】
図１０は、端末表示部３０１にマッチング候補となる車両（受電車両、送電車両）が表示された状態を示す図である。図１０（ａ）は、受電側端末の端末表示部３０１にマッチング候補となる送電車両が表示された状態を示し、図１０（ｂ）は、送電側端末の端末表示部３０１にマッチング候補となる受電車両が表示された状態を示す。
【００８９】
図１０（ａ）に示すように、受電側端末の端末表示部３０１は、特定部１０５ｂがマッチング候補として特定した車両（送電車両）１０を表示する。受電ユーザにより端末表示部３０１上の送電車両が操作（選択）されると、端末表示部３０１は、操作された送電車両に関する送電車両情報（例えば、図４（ｂ）に示す情報）を表示させる。
【００９０】
図１０（ｂ）に示すように、送電側端末の端末表示部３０１は、特定部１０５ｂがマッチング候補として特定した車両（受電車両）１０を表示する。送電ユーザにより端末表示部３０１上の受電車両が操作（選択）されると、端末表示部３０１は、操作された受電車両に関する受電車両情報（例えば、図４（ａ）に示す情報）を表示させる。
【００９１】
送電ユーザは、受電車両情報（現在位置情報、バッテリ残量情報、希望情報等）を参照し、受電ユーザの希望条件（例えば、充電要求量、ポイント譲渡値（付加値）、待機許容時間）に合意するか否か選択することができる。例えば、送電ユーザは、受電ユーザの希望条件に合意する場合、図１０（ｂ）に示す受電車両を操作（選択）し、メニューバー３０１ａの「マッチング要求」と記されたタブを操作することで、受電ユーザの希望条件に合意することができる。このとき、送電車両の情報端末（送電側端末）１は、受電車両とのマッチングを承認するマッチング承認信号を管理サーバ１００に出力する（ステップＳ１０９）。
【００９２】
なお、受電ユーザは、送電車両情報（現在位置情報、バッテリ残量情報、希望情報等）を参照し、送電ユーザの希望条件（例えば、ポイント要求値（付加値））に合意するか否か選択することもできる。例えば、受電ユーザは、送電ユーザの希望条件（ここでは、ポイント譲渡値<ポイント要求値であるものとする）に合意する場合、図１０（ａ）に示す送電車両を操作（選択）し、メニューバー３０１ａの「マッチング要求」と記されたタブを操作することで、送電ユーザの希望条件に合意することができる。このとき、受電車両の情報端末（受電側端末）１は、送電車両とのマッチングを承認するマッチング承認信号（図７では不図示）を管理サーバ１００に出力する。
【００９３】
図７に戻り、管理サーバ１００がマッチング承認信号を受信すると、特定部１０５ｂは、送電ユーザおよび受電ユーザが互いの希望条件（例えば、充電要求量、ポイント譲渡値（付加値）、ポイント要求値（付加値）、待機許容時間）に対し合意したと判定する。特定部１０５ｂは、互いの希望条件に対し合意のあった送電車両（送電側端末）と受電車両（受電側端末）とをマッチングさせる特定処理を行う（ステップＳ１１１）。
【００９４】
ここで、特定部１０５ｂは、管理サーバ１００がマッチング承認信号を複数受信した（例えば、複数の送電車両からマッチング承認信号が出力された）場合、マッチング承認信号が出力された複数の送電車両に関する送電車両情報を受電車両に送信する。ただし、これに限定されず、特定部１０５ｂは、複数のマッチング承認信号を受信した場合に、最も早く受信したマッチング承認信号を選択し、選択したマッチング承認信号を送信したとされる送電車両と受電車両とをマッチングさせてもよい。
【００９５】
受電ユーザは、複数の送電車両に関する送電車両情報（現在位置情報、バッテリ残量情報、希望情報等）を参照し、マッチング対象とする送電車両を選択することができる。例えば、受電ユーザは、図１０（ａ）に示す送電車両を操作（選択）し、メニューバー３０１ａの「マッチング要求」と記されたタブを操作することで、マッチング対象とする送電車両を選択することができる。このとき、受電車両の情報端末（受電側端末）１は、受電ユーザにより選択された送電車両に関するマッチング選択信号を管理サーバ１００に出力する。
【００９６】
管理サーバ１００がマッチング選択信号を受信すると、特定部１０５ｂは、受電ユーザにより選択された送電車両と受電車両とをマッチングさせる特定処理を行う。
【００９７】
特定部１０５ｂは、マッチングが成立した受電車両および送電車両に対し、マッチングが成立したことを示すマッチング信号を情報端末１（受電側端末および送電側端末）に出力する。マッチング信号が出力されると、情報取得部１０５ａは、マッチングが成立した受電車両および送電車両の情報端末１から車両情報（受電車両情報、送電車両情報）随時取得する。
【００９８】
特定部１０５ｂは、取得した受電車両情報を送電車両に随時送信し、取得した送電車両情報を受電車両に随時送信する。これにより、受電車両および送電車両は、互いの現在位置を随時把握することができ、送電車両は、受電車両の現在位置まで到達することができる。送電車両が受電車両の現在位置に到達すると、送電ユーザまたは受電ユーザは、送電車両の送電部２０７と受電車両の受電部２０５とを不図示の送電ケーブルにより接続する。送電側端末の送受電制御部３１１ｈは、送電部２０７を制御し、受電車両の受電部２０５に対し給電する給電処理を行う（ステップＳ１１３）。
【００９９】
情報取得部１０５ａは、受電車両と送電車両との間で電気エネルギーの授受が行われている間、受電車両の受電車両情報および送電車両の送電車両情報を情報端末１から随時取得する。送受電制御部３１１ｈは、受電ユーザが設定した「充電要求量」だけ送電車両から受電車両に給電すると、給電完了信号を生成し、生成した給電完了信号を管理サーバ１００に出力する。ここで、給電完了信号には、給電完了後の受電車両情報、送電車両情報、および、送電車両が受電車両に給電した給電量に関する情報あるいは受電車両が送電車両から給電された給電量に関する情報（給電情報）が含まれる。なお、給電情報は、給電前後の受電車両情報および送電車両情報（バッテリ残量情報）から算出することもできるので、給電完了信号に含まれなくてもよい。
【０１００】
管理サーバ１００は、給電完了信号を受信すると、給電完了信号をサーバ記憶装置１０３に記憶し、以下で説明する算出処理を実行する（ステップＳ１１５）。
【０１０１】
図１１は、算出処理の流れを説明するフローチャート図である。図１１に示すように、まず、情報取得部１０５ａは、サーバ記憶装置１０３に記憶された給電情報を取得する（ステップＳ３０１）。
【０１０２】
演算部１０５ｃは、給電情報に基づいて、送電車両から受電車両に送電した電気エネルギーに相当するエネルギー対価値を算出する（ステップＳ３０３）。ただし、演算部１０５ｃは、給電情報に基づいて、受電車両が送電車両から給電された電気エネルギーに相当するエネルギー対価値を算出してもよい。ここで、エネルギー対価値は、受電車両に給電（送電）した電力量（ｋＷｈ）を用いて算出可能である。本実施形態では、例えば、エネルギー対価値は、電力量「１ｋＷｈ」に対し、「１ポイント」として設定され、受電車両に給電した電力量が「３０ｋＷｈ」である場合、エネルギー対価値は「３０ポイント」として算出される。なお、エネルギー対価値は、受電ユーザおよび送電ユーザが保有するポイント保有値と同質のものであり、ポイント保有値に対し加算または減算することができる。
【０１０３】
演算部１０５ｃは、エネルギー対価値を算出すると、算出したエネルギー対価値に関する情報をサーバ記憶装置１０３に記憶させる。このとき、演算部１０５ｃは、算出したエネルギー対価値をユーザごと（受電ユーザおよび送電ユーザ）に関連付けて記憶させる。
【０１０４】
演算部１０５ｃは、受電ユーザが保有するポイント保有値から、演算したエネルギー対価値を減算する（ステップＳ３０５）。
【０１０５】
演算部１０５ｃは、送電ユーザが保有するポイント保有値に対し、演算したエネルギー対価値を加算する（ステップＳ３０７）。
【０１０６】
また、受電ユーザがポイント譲渡値を設定している場合、演算部１０５ｃは、演算したエネルギー対価値に対し、ポイント譲渡値（付加値）を付加（加算）する（ステップＳ３０９）。この場合、演算部１０５ｃは、受電ユーザが保有するポイント保有値から、演算したエネルギー対価値およびポイント譲渡値を減算し、送電ユーザが保有するポイント保有値に対し、演算したエネルギー対価値およびポイント譲渡値を加算する。
【０１０７】
なお、受電ユーザが送電ユーザの希望条件（ここでは、ポイント譲渡値<ポイント要求値であるものとする）に合意した場合、演算部１０５ｃは、演算したエネルギー対価値に対し、ポイント譲渡値ではなく、ポイント要求値（付加値）を付加（加算）する。この場合、演算部１０５ｃは、受電ユーザが保有するポイント保有値から、演算したエネルギー対価値およびポイント要求値を減算し、送電ユーザが保有するポイント保有値に対し、演算したエネルギー対価値およびポイント要求値を加算する。
【０１０８】
また、演算部１０５ｃは、ポイント譲渡値やポイント要求値とは別に、送電ユーザに対し、特別にポイント奨励値（付加値）を付加（加算）してもよい。この場合、演算部１０５ｃは、送電ユーザが保有するポイント保有値に対し、演算したエネルギー対価値およびポイント奨励値を加算する。ポイント奨励値は、例えば、受電車両の位置と不図示の充電ステーションの位置に応じて設定される値である。
【０１０９】
具体的に、演算部１０５ｃは、受電車両の位置と充電ステーションの位置とを比較し、受電車両の位置と充電ステーションの位置との間隔が大きくなるほど、ポイント奨励値を大きい値に設定する。これにより、充電ステーションの設置密度が小さい地域においても、マッチングに対するインセンティブが働き、マッチングが成立する可能性を高めてユーザの利便性を向上することができる。
【０１１０】
ポイント奨励値は、例えば、特定部１０５ｂにより特定された送電車両の候補数に応じて設定される値であってもよい。その場合、演算部１０５ｃは、特定部１０５ｂにより特定された送電車両の候補数が少ないほど、ポイント奨励値（付加値）を大きい値に設定する。
【０１１１】
本実施形態では、サーバ記憶装置（記憶部）１０３は、受電車両と送電車両との間で行われた電力の授受の履歴を記憶している。演算部１０５ｃは、サーバ記憶装置１０３に記憶された電力の授受の履歴に基づいて、受電車両と送電車両の間で行われた電力の授受が不正であるか否かを判定する。
【０１１２】
例えば、演算部１０５ｃは、受電車両が送電車両から電力が供給された後、所定時間内（例えば、１０分以内）に受電車両が自車両と異なる他の車両に対し電力を供給した場合に、その電力の授受が不正であると判定する。また、演算部１０５ｃは、送電車両が受電車両に電力を供給した後、所定時間内（例えば、１０分以内）に送電車両が自車両と異なる他の車両から電力を受けた場合に、その電力の授受が不正であると判定する。
【０１１３】
また、演算部１０５ｃは、特定の車両（あるいは特定のユーザ）間で所定回数以上（例えば、１０回以上）電力の授受が行われた場合、その電力の授受が不正であると判定する。このように、本実施形態では、演算部１０５ｃは、サーバ記憶装置１０３に記憶された電力の授受の履歴に基づいて、複数の車両間で行われた電力の授受が不正であるか否かを判定する不正判定部として機能する。
【０１１４】
そして、演算部１０５ｃは、複数の車両間で行われた電力の授受が不正であると判定した場合、その電力の授受に際してエネルギー対価値に付加される付加値（ポイント譲渡値、ポイント要求値、ポイント奨励値）を無効とする。したがって、演算部１０５ｃは、複数の車両間で行われた電力の授受が不正であると判定した場合、演算したエネルギー対価値に対し、付加値（ポイント譲渡値、ポイント要求値、ポイント奨励値）を付加（加算）しない処理を行う。
【０１１５】
図７に戻り、管理サーバ１００は、算出処理が終了すると、ユーザ更新情報を生成し、生成したユーザ更新情報を情報端末（受電側端末、送電側端末）１に送信する。このユーザ更新情報は、サーバ制御部１０５で算出された情報であり、例えば、エネルギー対価値、付加値、ユーザの更新されたポイント保有値（すなわち、エネルギー対価値および付加値が加算、あるいは、減算されたポイント保有値）等を含む情報である。
【０１１６】
情報端末１は、管理サーバ１００からユーザ更新情報を受信すると、端末表示部３０１にユーザ更新情報を表示させる。
【０１１７】
このように、本実施形態では、管理サーバ１００は、演算部１０５ｃを備えている。演算部１０５ｃは、送電車両が受電車両に送電した電気エネルギーに相当するエネルギー対価値を演算する。したがって、送電ユーザは、送電車両から受電車両に送電した電気エネルギーに対応する正当な対価を受けることが可能になる。その結果、管理サーバ１００は、受電車両と送電車両とのマッチングを容易にすることができる。
【０１１８】
以上、添付図面を参照しながら説明したが、本発明はかかる実施形態に限定されないことは言うまでもない。当業者であれば、特許請求の範囲に記載された範疇において、各種の変更例または修正例に想到し得ることは明らかであり、それらについても当然に本発明の技術的範囲に属するものと了解される。
【０１１９】
上記実施形態では、特定部１０５ｂは、送電車両が受電ユーザにより設定された充電要求量に相当する電気エネルギーを保有しているか否か判定する例について説明した。しかし、これに限定されず、特定部１０５ｂは、送電車両が受電ユーザにより設定された充電要求量に相当する電気エネルギーを保有しているか否か判定しなくてもよい。
【０１２０】
上記実施形態では、特定部１０５ｂは、受電車両と送電車両の距離、および、送電車両のバッテリ残量に基づいて、マッチング候補を抽出する例について説明した。しかし、これに限定されず、特定部１０５ｂは、受電ユーザの希望条件と送電ユーザの希望条件のすべてがマッチする候補を抽出するようにしてもよい。
【０１２１】
上記実施形態では、演算部１０５ｃは、受電ユーザが保有するポイント保有値から、演算したエネルギー対価値を減算する例について説明した。しかし、これに限定されず、演算部１０５ｃは、受電ユーザが保有するポイント保有値から、演算したエネルギー対価値を減算しなくてもよい。
【０１２２】
上記実施形態では、演算部１０５ｃは、送電ユーザが保有するポイント保有値に対し、演算したエネルギー対価値を加算する例について説明した。しかし、これに限定されず、演算部１０５ｃは、送電ユーザが保有するポイント保有値に対し、演算したエネルギー対価値を加算しなくてもよい。
【０１２３】
上記実施形態では、演算部１０５ｃは、演算したエネルギー対価値に対し、付加値（例えば、ポイント譲渡値、ポイント要求値、ポイント奨励値）を加算する例について説明した。しかし、これに限定されず、演算部１０５ｃは、演算したエネルギー対価値に対し付加値を加算しなくてもよい。
【０１２４】
上記実施形態では、演算部１０５ｃは、受電車両の位置と充電ステーションの位置に応じてポイント奨励値（付加値）を設定する例について説明した。しかし、これに限定されず、演算部１０５ｃは、例えば、受電車両の位置と自動車ディーラーの位置に応じてポイント奨励値（付加値）を設定してもよい。その場合、演算部１０５ｃは、受電車両の位置と自動車ディーラーの位置との間隔が大きくなるほど、ポイント奨励値を大きい値に設定してもよい。
【０１２５】
上記実施形態では、エネルギー対価値が、電力量「１ｋＷｈ」に対し、「１ポイント」として設定されて例について説明した。しかし、これに限定されず、「１ポイント」をエネルギー対価値とは独立した、特定のユーザ又はコミュニティ間（例えば、特定の自動車製造会社、販売会社、ブランド等に所属する自動車のユーザで組織されるコミュニティなど）で授受できる譲渡性、換金性、対価性のある一種の通貨として設定してもよい。ユーザは当該ポイントを当該コミュニティに所属する期間、当該期間中の走行距離、送電側でのマッチング成立回数、受電希望ユーザからの要求に応えて送電した送電量など当該コミュニティへの貢献度に応じて管理サーバ運営者から獲得できるようにしてもよい。
【産業上の利用可能性】
【０１２６】
本発明は、管理サーバに利用できる。
【符号の説明】
【０１２７】
１０  車両
１００  管理サーバ
１０５  サーバ制御部
１０５ａ  情報取得部
１０５ｂ  特定部
１０５ｃ  演算部
【図１】
2020170419.tif 000003
【図２】
2020170419.tif 000004
【図３】
2020170419.tif 000005
【図４】
2020170419.tif 000006
【図５】
2020170419.tif 000007
【図６】
2020170419.tif 000008
【図７】
2020170419.tif 000009
【図８】
2020170419.tif 000010
【図９】
2020170419.tif 000011
【図１０】
2020170419.tif 000012
【図１１】
2020170419.tif 000013